(57)【要約】【課題】一日分の電子番組表を一覧できるように番組表全体を一度にディスプレイ装置に表示させることを可能にした電子番組情報表示装置を提供する。【解決手段】番組表ボタンを押下すると、電子番組案内情報に基づいて１日分の番組表がディスプレイ装置に一覧表示される。この場合、番組がジャンル毎に色分けして表示され、番組名の頭文字が表示される。拡大ボタンが押下されると、一覧表示された番組の中の選択された番組の時間枠を中心に表示可能な範囲の番組まで番組名が見える程度に拡大表示される。更に拡大ボタンが押下されると、選択された番組の時間枠を拡大して詳細内容が見える程度に拡大表示される。縮小ボタンが押下されると、拡大表示された時間枠が縮小表示される。したがって、新聞のテレビ番組欄を見るように多数の放送局の番組表を一度に見たりでき、番組表を拡大したり縮小したりできるので、視聴者にとっては便利になる。【選択図】図３
2007116384.tif 000002
【特許請求の範囲】
【請求項１】
テレビジョン放送の番組に関する電子番組案内情報を受信して電子番組表をディスプレイ装置に表示する電子番組情報表示装置において、
前記電子番組案内情報に基づいて１日分の電子番組表をディスプレイ装置に一覧表示させる番組表一覧表示手段と、
前記一覧表示された電子番組表に示された番組をジャンル毎に色分け表示させる色分け表示手段と、
前記一覧表示された電子番組表に示された番組の番組名を頭文字で表示させる頭文字表示手段と、
操作手段による拡大操作により前記一覧表示された番組の中の選択された番組の時間枠を中心に表示可能な範囲の時間枠まで拡大表示して番組名を表示させる第１の拡大表示手段と、
この第１の拡大表示手段により拡大表示された番組の中の選択された番組の時間枠を操作手段による拡大操作により更に拡大して番組の詳細な内容を表示させる第２の拡大表示手段と、
操作手段による縮小操作により前記第１の拡大表示手段で拡大表示された時間枠を縮小して元の一覧表示の時間枠に縮小させる第１の縮小表示手段と、
操作手段による縮小操作により前記第２の拡大表示手段で更に拡大表示された時間枠を縮小して前記第１の拡大表示手段により拡大された時間枠に縮小させる第２の縮小表示手段と、を有する電子番組表生成部を備えたことを特徴とする電子番組情報表示装置。
【請求項２】
テレビジョン放送の番組に関する電子番組案内情報を受信して電子番組表をディスプレイ装置に表示する電子番組情報表示装置において、
前記電子番組案内情報に基づいて１日分の電子番組表をディスプレイ装置に一覧表示させる番組表一覧表示手段と、
操作手段による拡大操作により前記一覧表示された番組の中の選択された番組の内容を含む時間枠を拡大表示させる拡大表示手段と、
前記操作手段による縮小操作により前記拡大表示された時間枠を縮小表示させる縮小表示手段と、を有する電子番組表生成部を備えたことを特徴とする電子番組情報表示装置。
【請求項３】
前記拡大表示手段は、操作手段による拡大操作により前記一覧表示された番組の中の選択された番組の時間枠を中心に表示可能な範囲の時間枠まで拡大表示して番組名を表示させる第１の拡大表示手段と、この第１の拡大表示手段により拡大表示された番組の中の選択された番組の時間枠を操作手段による拡大操作により更に拡大して番組の詳細な内容を表示させる第２の拡大表示手段とを有することを特徴とする請求項２に記載の電子番組情報表示装置。
【請求項４】
前記縮小表示手段は、操作手段による縮小操作により前記第１の拡大表示手段で拡大表示された時間枠を縮小して元の一覧表示の時間枠に縮小させる第１の縮小表示手段と、操作手段による縮小操作により前記第２の拡大表示手段で更に拡大表示された時間枠を縮小して前記第１の拡大表示手段により拡大された時間枠に縮小させる第２の縮小表示手段とを有することを特徴とする請求項２に記載の電子番組情報表示装置。
【請求項５】
前記電子番組生成部は、一覧表示された電子番組表に示された番組をジャンル毎に色分け表示させる色分け表示手段を有することを特徴とする請求項２に記載の電子番組情報表示装置。
【請求項６】
前記電子番組生成部は、一覧表示された電子番組表に示された番組の番組名を頭文字で表示させる頭文字表示手段を有することを特徴とする請求項２に記載の電子番組情報表示装置。
【発明の詳細な説明】
【技術分野】
【０００１】
本発明は、ハードディスクレコーダになどに搭載され、テレビジョン放送の番組に関する電子番組案内情報を受信して電子番組表をディスプレイ装置に表示する電子番組情報表示装置に関する。
【背景技術】
【０００２】
従来からテレビ番組の放送予定は、新聞の番組表やテレビ雑誌の番組表によって、視聴者に知らされている。また、近年では、電子番組案内情報であるＥＰＧ（Electrical Program Guide）情報を利用して、テレビ番組の放送予定を視聴者に知らせる電子番組情報表示装置が普及している。ＥＰＧ情報は、テレビ放送局などから送信されるもので、従来からの新聞やテレビ雑誌などに記載されているようなテレビ番組の放送予定のデータであり、番組の放送予定日、時間帯、チャンネル、番組名、出演者、番組に関する詳細情報などが各番組毎に記載されたものである。
【０００３】
ところで、このような従来の電子番組情報表示装置は、例えば、ハードディスクレコーダに備えられ、番組供給事業者から供給された番組がアップリンク局から通信衛星にアップリンクされた後、ダウンリンクされた放送波を受信するＣＳチューナと、ＰＳＫ（１ビット）に対して同じ周波数の搬送波で２倍の情報量（２ビット）を送ることができる変調方式を復調するＱＰＳＫ復調回路と、ペイ・パー・ビュー（ＰＰＶ）などの契約形態のために、あるいは著作権主張されているコンテンツのために暗号化されているデータを復号化するデスクランブルと、多重化されている番組や番組に関する付加情報を分離するデマルチプレクサと、ＭＰＥＧ２トランスポートストリームに時分割多重化されているＡＶデータを分離し、エレメンタリーパケットにするトランスポートデコーダと、圧縮されているＡＶデータを伸長するＭＰＥＧ２デコーダとを有する受信部を備えている。
【０００４】
また、この電子番組情報表示装置は、受信部を制御するチューナブロック制御部と、装置全体を制御するシステム制御部と、番組に関するＥＰＧ情報を分離する番組情報デコーダでデコードされたＥＰＧ情報の管理を行うＥＰＧデータ管理部と、ＥＰＧ情報を表示する画面を生成する電子番組表生成部と、ＭＰＥＧ２デコーダで伸長されたＡＶデータと、電子番組表生成部で生成されたＥＰＧ情報とを合成したり、番組のみまたはＥＰＧ表示画面のみを表示するデータを生成したりする画面合成部と、デジタル形式のＡＶデータをＮＴＳＣ方式のアナログ映像音声信号に変換するＮＴＳＣエンコーダと、ＮＴＳＣ方式の映像信号を画面に表示するディスプレイ装置と、ＥＰＧ情報をディスプレイ装置に表示するための操作命令やチャンネルを選択する命令などを入力するためリモコンとを備えている。
【特許文献１】特開２０００−３５８２００号公報
【特許文献２】特表平１１−５０５０９７号公報
【特許文献３】特開平１１−９８４２８号公報
【発明の開示】
【発明が解決しようとする課題】
【０００５】
従来の電子番組情報表示装置は、以上のような構成を有し、放送局から送られてきたＥＰＧ情報により電子番組表をテレビジョン受信機のディスプレイ装置に表示させるが、ディスプレイ装置の表示サイズやフォントサイズを考慮に入れると、一度に表示できる電子番組表の範囲は、例えば、４放送局で５時間分のようなとても狭いものとなる。新聞では、一度にその日の番組を全放送局分見ることができるが、従来の電子番組情報表示装置では、一日分の電子番組表を一覧できるように電子番組表全体を一度にディスプレイ装置に表示させることができないので、表示される電子番組表の範囲が限られ、リモコンを操作して、表示される電子番組表の範囲を変えて行って所望の番組を探さなくてはならず、視聴者にとっては不便であると言う課題があった。
【０００６】
なお、特許文献１の従来技術では、番組名を表示する代わりにその番組に対応するシンボルを番組表示欄に表示するＥＰＧ画面データを生成し、また、場合によっては、そのシンボルの部分を番組表示欄いっぱいに拡大して表示するよう設定し、また、番組表示欄が小さい場合には、その番組の出演者などの詳細情報を説明するテキストなどを表示しないようにし、あるいは詳細情報を手短に要約したテキストを表示するようにしているが、一日分の電子番組表を一覧できるように電子番組表全体を一度にディスプレイ装置に表示させることができないので、上記のような課題を解決することができない。
【０００７】
特許文献２の従来技術では、簡単なリモートコントロールコマンドを用いて直感的にＥＰＧを操作できるようにしているが、この従来技術も、一日分の電子番組表を一覧できるように電子番組表全体を一度にディスプレイ装置に表示させることができないので、上記のような課題を解決することができない。
【０００８】
特許文献３の従来技術では、カーソルによって選択された特定の区画を番組情報と共に拡大表示するようにしているが、この従来技術も、一日分の電子番組表を一覧できるように電子番組表全体を一度にディスプレイ装置に表示させることができないので、上記のような課題を解決することができない。
【０００９】
本発明は、上記のような課題を解決するためになされたもので、一日分の電子番組表を一覧できるように電子番組表全体を一度にディスプレイ装置に表示させることを可能にする電子番組情報表示装置を提供することを目的とする。
【課題を解決するための手段】
【００１０】
上記目的を達成するために、請求項１の発明は、テレビジョン放送の番組に関する電子番組案内情報を受信して電子番組表をディスプレイ装置に表示する電子番組情報表示装置において、前記電子番組案内情報に基づいて１日分の電子番組表をディスプレイ装置に一覧表示させる番組表一覧表示手段と、前記一覧表示された電子番組表に示された番組をジャンル毎に色分け表示させる色分け表示手段と、前記一覧表示された電子番組表に示された番組の番組名を頭文字で表示させる頭文字表示手段と、操作手段による拡大操作により前記一覧表示された番組の中の選択された番組の時間枠を中心に表示可能な範囲の時間枠まで拡大表示して番組名を表示させる第１の拡大表示手段と、この第１の拡大表示手段により拡大表示された番組の中の選択された番組の時間枠を操作手段による拡大操作により更に拡大して番組の詳細な内容を表示させる第２の拡大表示手段と、操作手段による縮小操作により前記第１の拡大表示手段で拡大表示された時間枠を縮小して元の一覧表示の時間枠に縮小させる第１の縮小表示手段と、操作手段による縮小操作により前記第２の拡大表示手段で更に拡大表示された時間枠を縮小して前記第１の拡大表示手段により拡大された時間枠に縮小させる第２の縮小表示手段とを有する電子番組表生成部を備えたことを特徴とする電子番組情報表示装置を提供する。
【００１１】
この構成において、ユーザが例えばリモコンの番組表ボタンを押下すると、番組表一覧表示手段は、電子番組案内情報に基づいて１日分の電子番組表をディスプレイ装置の画面に一覧表示させる。また、この一覧表示画面には、色分け表示手段により、番組がジャンル毎に色分けして表示される。また、この一覧表示画面には、頭文字表示手段により、番組の番組名の頭文字が表示される。次に、リモコンの拡大ボタンが押下されると、第１の拡大表示手段は、前記一覧表示された番組の中の選択された番組の時間枠を中心に表示可能な範囲の番組まで番組名が見える程度に拡大表示する（第１の拡大表示画面を表示する）。
【００１２】
更に、リモコンの拡大ボタンが押下されると、第２の拡大表示手段は、前記第１の拡大表示画面に表示された番組の中の選択された番組の時間枠を拡大して詳細内容が見える程度に拡大して拡大表示画面（第２の拡大表示画面）をディスプレイ装置に表示させる。
【００１３】
第１の拡大表示画面が表示された後、リモコンの縮小ボタンが押下されると、第１の縮小表示手段は、前記第１の拡大表示手段で拡大表示された時間枠を縮小して番組を元の一覧表示の番組時間枠のサイズに縮小させ、番組一覧表示画面をディスプレイ装置に表示させる。第２の拡大表示画面が表示された後、リモコンの縮小ボタンが押下されると、第２の縮小表示手段は、前記第２の拡大表示手段で拡大表示された時間枠を縮小して前記第１の拡大表示画面のサイズに縮小させ、前記第１の拡大表示画面をディスプレイ装置に表示させる。
【００１４】
この構成によれば、一日分の電子番組表を一覧できるように電子番組表全体を一度にディスプレイ装置に表示させることができ、即ち、新聞で慣れ親しんだものと同じ範囲で電子番組表をディスプレイ装置に表示させることができ、これにより、新聞のテレビ番組欄を見るように多数の放送局の電子番組表を一度に見ることができ、また、電子番組表の表示を拡大したり縮小したりすることもできるので、視聴者にとっては便利になる。また、電子番組表が一覧表示されても、ジャンル毎に色分け表示させることが可能になって、番組のジャンルが分かり易くなる。また、電子番組表が一覧表示されても、表示された頭文字により番組名を大体推測することができる。
【００１５】
請求項２の発明は、テレビジョン放送の番組に関する電子番組案内情報を受信して電子番組表をディスプレイ装置に表示する電子番組情報表示装置において、前記電子番組案内情報に基づいて１日分の電子番組表をディスプレイ装置に一覧表示させる番組表一覧表示手段と、操作手段による拡大操作により前記一覧表示された番組の中の選択された番組の内容を含む時間枠を拡大表示させる拡大表示手段と、前記操作手段による縮小操作により前記拡大表示された時間枠を縮小表示させる縮小表示手段とを有する電子番組表生成部を備えたことを特徴とする電子番組情報表示装置を提供する。
【００１６】
この構成において、ユーザが例えばリモコンの番組表ボタンを押下すると、番組表一覧表示手段は、電子番組案内情報に基づいて１日分の電子番組表をディスプレイ装置の画面に一覧表示させる。次に、リモコンの拡大ボタンが押下されると、拡大表示手段は、前記一覧表示された番組の中の選択された番組の時間枠を拡大表示する。拡大表示画面が表示された後、リモコンの縮小ボタンが押下されると、縮小表示手段は、前記拡大表示された時間枠を縮小させ、ディスプレイ装置に表示させる。
【００１７】
この構成によれば、一日分の電子番組表を一覧できるように電子番組表全体を一度にディスプレイ装置に表示させることができ、即ち、新聞で慣れ親しんだものと同じ範囲で電子番組表をディスプレイ装置に表示させることができ、これにより、新聞のテレビ番組欄を見るように多数の放送局の電子番組表を一度に見ることができ、また、電子番組表の表示を拡大したり縮小したりすることもできるので、視聴者にとっては便利になる。
【００１８】
請求項３の発明では、請求項２の発明において、前記拡大表示手段は、操作手段による拡大操作により前記一覧表示された番組の中の選択された番組の時間枠を中心に表示可能な範囲の時間枠まで拡大表示して番組名を表示させる第１の拡大表示手段と、この第１の拡大表示手段により拡大表示された番組の中の選択された番組の時間枠を操作手段による拡大操作により更に拡大して番組の詳細な内容を表示させる第２の拡大表示手段とを有するので、番組の時間枠を中心に表示可能な範囲の時間枠まで拡大表示して番組名を表示させることが可能になり、また、更に拡大して番組の詳細な内容も表示させることが可能になる。
【００１９】
請求項４の発明では、請求項２の発明において、前記縮小表示手段は、操作手段による縮小操作により前記第１の拡大表示手段で拡大表示された時間枠を縮小して元の一覧表示の時間枠に縮小させる第１の縮小表示手段と、操作手段による縮小操作により前記第２の拡大表示手段で更に拡大表示された時間枠を縮小して前記第１の拡大表示手段により拡大された時間枠に縮小させる第２の縮小表示手段とを有するので、拡大表示された時間枠を縮小して元の一覧表示の時間枠に縮小させることが可能になり、また、拡大表示された時間枠を縮小して前記第１の拡大表示手段により拡大された時間枠に縮小させることが可能になる。
【００２０】
請求項５の発明では、請求項２の発明において、前記電子番組生成部は、一覧表示された電子番組表に示された番組をジャンル毎に色分け表示させる色分け表示手段を有するので、電子番組表が一覧表示されても、ジャンル毎に色分け表示させることが可能になって、番組のジャンルが分かり易くなる。
【００２１】
請求項６の発明では、請求項２の発明において、前記電子番組生成部は、一覧表示された電子番組表に示された番組の番組名を頭文字で表示させる頭文字表示手段を有するので、電子番組表が一覧表示されても、表示された頭文字により番組名を大体推測することが可能になる。
【発明の効果】
【００２２】
以上のように本発明によれば、テレビジョン放送の番組に関する電子番組案内情報を受信して電子番組表をディスプレイ装置に表示する電子番組情報表示装置において、前記電子番組案内情報に基づいて１日分の電子番組表をディスプレイ装置に一覧表示させる番組表一覧表示手段と、前記一覧表示された電子番組表に示された番組をジャンル毎に色分け表示させる色分け表示手段と、前記一覧表示された電子番組表に示された番組の番組名を頭文字で表示させる頭文字表示手段と、操作手段による拡大操作により前記一覧表示された番組の中の選択された番組の時間枠を中心に表示可能な範囲の時間枠まで拡大表示して番組名を表示させる第１の拡大表示手段と、この第１の拡大表示手段により拡大表示された番組の中の選択された番組の時間枠を操作手段による拡大操作により更に拡大して番組の詳細な内容を表示させる第２の拡大表示手段と、操作手段による縮小操作により前記第１の拡大表示手段で拡大表示された時間枠を縮小して元の一覧表示の時間枠に縮小させる第１の縮小表示手段と、操作手段による縮小操作により前記第２の拡大表示手段で更に拡大表示された時間枠を縮小して前記第１の拡大表示手段により拡大された時間枠に縮小させる第２の縮小表示手段とを有する電子番組表生成部を備えたので、一日分の電子番組表を一覧できるように電子番組表全体を一度にディスプレイ装置に表示させることができ、即ち、新聞で慣れ親しんだものと同じ範囲で電子番組表をディスプレイ装置に表示させることができ、これにより、新聞のテレビ番組欄を見るように多数の放送局の電子番組表を一度に見ることができ、また、電子番組表の表示を拡大したり縮小したりすることもできるので、視聴者にとっては便利になる。また、電子番組表が一覧表示されても、ジャンル毎に色分け表示させることが可能になって、番組のジャンルが分かり易くなる。また、電子番組表が一覧表示されても、表示された頭文字により番組名を大体推測することができる。
【００２３】
また、本発明によれば、テレビジョン放送の番組に関する電子番組案内情報を受信して電子番組表をディスプレイ装置に表示する電子番組情報表示装置において、前記電子番組案内情報に基づいて１日分の電子番組表をディスプレイ装置に一覧表示させる番組表一覧表示手段と、操作手段による拡大操作により前記一覧表示された番組の中の選択された番組の内容を含む時間枠を拡大表示させる拡大表示手段と、前記操作手段による縮小操作により前記拡大表示された時間枠を縮小表示させる縮小表示手段とを有する電子番組表生成部を備えたので、一日分の電子番組表を一覧できるように電子番組表全体を一度にディスプレイ装置に表示させることができ、即ち、新聞で慣れ親しんだものと同じ範囲で電子番組表をディスプレイ装置に表示させることができ、これにより、新聞のテレビ番組欄を見るように多数の放送局の電子番組表を一度に見ることができ、また、電子番組表の表示を拡大したり縮小したりすることもできるので、視聴者にとっては便利になる。
【発明を実施するための最良の形態】
【００２４】
以下、添付図面を参照しつつ、本発明の実施の形態について説明する。図１は本発明の一実施形態に係る電子番組情報表示装置の構成を示すブロック図である。
【００２５】
この電子番組情報表示装置は、ＣＳ（Communication Satellite）チューナ１、ＱＰＳＫ（Quadra Phase Shift Keying）復調回路２、デスクランブル３、デマルチプレクサ４、トランスポートデコーダ５、ＭＰＥＧ２デコーダ６、チューナブロック制御部７、システム制御部８、ＥＰＧデータ管理部９、番組情報デコーダ１０、リモコン１１、電子番組表生成部１２、画面合成部１３、ＮＴＳＣエンコーダ１４、およびディスプレイ装置１５から構成される。なお、操作手段としては、リモコン１１に代わり、本体操作パネルのキー入力部であっても良いが、本実施形態ではリモコン１１の操作で説明する。
【００２６】
ＣＳ（Communication Satellite）チューナ１、ＱＰＳＫ（Quadra Phase Shift Keying）復調回路２、デスクランブル３、デマルチプレクサ４、トランスポートデコーダ５、およびＭＰＥＧ２デコーダ６は、受信部７０を構成している。
【００２７】
ＣＳチューナ１は、番組供給事業者から供給された番組がアップリンク局から通信衛星にアップリンクされた後、ダウンリンクされた放送波を受信するチューナである。ＱＰＳＫ復調回路２は、ＰＳＫ（１ビット）に対して同じ周波数の搬送波で２倍の情報量（２ビット）を送ることができる変調方式を復調する回路である。デスクランブル３は、ペイ・パー・ビュー（ＰＰＶ）などの契約形態のために、あるいは著作権主張されているコンテンツのために暗号化されているデータを復号化するものである。デマルチプレクサ４は、多重化されている番組や番組に関する付加情報を分離するものである。トランスポートデコーダ５は、ＭＰＥＧ２トランスポートストリームに時分割多重化されているＡＶデータを分離し、エレメンタリーパケットにするものである。ＭＰＥＧ２デコーダ６は、圧縮されているＡＶデータを伸長するものである。
【００２８】
チューナブロック制御部７は、受信部７０を制御するものであり、システム制御部８は、この電子番組情報表示装置を制御するものである。このシステム制御部８には、外部機器制御部１６を介してＨＤＤ（ハードディスクドライブ）１７が接続されている。ＥＰＧデータ管理部９は、番組情報デコーダ１０でデコードされたＥＰＧ情報の管理を行うものであり、番組情報デコーダ１０は、番組に関するＥＰＧ情報を分離するものである。リモコン１１は、ＥＰＧ情報をディスプレイ装置１５に表示するための操作命令や、チャンネルを選択する命令などを、ユーザが入力するためのものである。
【００２９】
電子番組表生成部１２は、ＥＰＧ情報を表示する画面を生成するものである。画面合成部１３は、ＭＰＥＧ２デコーダ６で伸長されたＡＶデータと、電子番組表生成部１２で生成されたＥＰＧ情報とを合成したり、番組のみまたはＥＰＧ表示画面のみを表示するデータを生成したりするものである。ＮＴＳＣエンコーダ１４は、デジタル形式のＡＶデータをＮＴＳＣ方式のアナログ映像音声信号に変換するものである。ディスプレイ装置１５は、ＮＴＳＣ方式の映像信号を画面に表示するものである。
【００３０】
電子番組表生成部１２は、本実施形態の特徴として、ＥＰＧ情報に基づいて１日分の電子番組表をディスプレイ装置１５に一覧表示させる番組表一覧表示手段と、前記一覧表示された電子番組表に示された番組をジャンル毎に色分け表示させる色分け表示手段と、前記一覧表示された電子番組表に示された番組の番組名を頭文字で表示させる頭文字表示手段と、操作手段による拡大操作により前記一覧表示された番組の中の選択された番組の時間枠を中心に表示可能な範囲の時間枠まで拡大表示して番組名を表示させる第１の拡大表示手段と、この第１の拡大表示手段により拡大表示された番組の中の選択された番組の時間枠をリモコン１１による拡大操作により更に拡大して番組の詳細な内容を表示させる第２の拡大表示手段と、リモコン１１による縮小操作により前記第１の拡大表示手段で拡大表示された時間枠を縮小して元の一覧表示の時間枠に縮小させる第１の縮小表示手段と、リモコン１１による縮小操作により前記第２の拡大表示手段で更に拡大表示された時間枠を縮小して前記第１の拡大表示手段により拡大された時間枠に縮小させる第２の縮小表示手段とを有する。
【００３１】
次に、この電子番組情報表示装置の動作について説明する。通信衛星からダウンリンクされた放送波はＣＳチューナ１で受信された後、ＱＰＳＫ復調２で復調される。更にＰＰＶなどの番組や著作権主張されているために暗号化されているデータは、デスクランブル３で暗号が解かれる。このデータは、多重化されているので、デマルチプレクサ４により多重化されている番組や番組に関する付加情報を分離し、番組情報デコーダ１０とトランスポートデコーダ５に入力される。トランスポートデコーダ５は、ＭＰＥＧ２トランスポートストリームに時分割多重されているＡＶデータを分離し、エレメンタリーパケットにし、ＭＰＥＧ２デコーダ６に入力する。更に、ＭＰＥＧ２デコーダ６は、圧縮されているデータを伸長し、画面合成部１３に入力する。
【００３２】
番組情報デコーダ１０は、番組に付加されているＥＰＧ情報を分離し、ＥＰＧデータ管理部９に入力する。ＥＰＧデータ管理部９は、ＥＰＧ情報を格納し、必要に応じて格納されているＥＰＧ情報の一部または全部を電子番組表生成部１２に入力する。電子番組表生成部１２は、ＥＰＧ情報を表示するための画面を生成し、画面合成部１３に入力する。
【００３３】
画面合成部１３は、ＭＰＥＧ２デコーダ６で伸長されたＡＶデータと電子番組表生成部１２で生成されたＥＰＧ情報を合成したり、番組のみまたはＥＰＧ表示画面（電子番組表）のみを表示するために前述した２種類のデータを合成したりして、ＮＴＳＣエンコーダ１４に入力する。ＮＴＳＣエンコーダ１４は、デジタル形式のＡＶデータをＮＴＳＣ方式のアナログ映像音声信号に変換し、ディスプレイ装置１５に入力する。最後に、ディスプレイ装置１５はＮＴＳＣ方式の映像信号を画面に表示する。
【００３４】
以上の処理は、リモコン１１などで電子番組情報表示装置を操作する命令が入力された際に行われる。この操作命令は、ＥＰＧデータ管理部９を介して、システム制御部８に送られる。システム制御部８は、チューナブロック制御部７とＥＰＧデータ管理部９を制御する。チューナブロック制御部７は、受信部７０を前述したように制御する。
【００３５】
図２は本実施形態においてリモコンの操作ボタンの配置の一例を簡略化して示した構成図である。図２において、リモコン１１は、本電子番組情報表示装置の電源をオンまたはオフさせるための電源ボタン１１１、選局などを行うための複数の数字ボタン１１２、ディスプレイ装置１５（図１参照）に表示されたカーソルを上方向に移動させるための上方向ボタン１１３、前記カーソルを下方向に移動させるための下方向ボタン１１４、前記カーソルを左方向に移動させるための左方向ボタン１１５、前記カーソルを右方向に移動させるための右方向ボタン１１６、前記カーソルで指定された処理を決定するための決定ボタン１１７、出力音声をモノラルやステレオや二重音声に切り換えるための音声切換ボタン１１８、出力音声を消音させるための消音ボタン１１９、出力音声の音量を小さくするための音量小ボタン１２０、出力音声の音量を大きくするための音量大ボタン１２１、ＥＰＧ情報による電子番組表をディスプレイ装置１５に表示させるための番組表ボタン１２２、電子番組表を拡大表示させるための拡大ボタン１２３、電子番組表を縮小表示させるための縮小ボタン１２４、その他複数の操作ボタンを有する。
【００３６】
ここで、拡大ボタン１２３と縮小ボタン１２４は、本実施形態においてリモコン１１に新たに設けられた操作ボタンである。なお、本実施形態においては、拡大ボタン１２３と縮小ボタン１２４を新たにリモコン１１に設けたが、電子番組表をディスプレイ装置１５に表示した後で使用するリモコン１１の操作ボタンは限られてくるので、この状態の時に操作が無効になっている操作ボタンを拡大ボタンと縮小ボタンに使用すれば、拡大ボタン１２３と縮小ボタン１２４をリモコン１１に新たに設ける必要がない。また、拡大ボタンと縮小ボタンを一つのサイズ変更ボタンとして、このサイズ変更ボタンの押下回数に応じて、拡大サイズ、元サイズ、縮小サイズ、拡大サイズ、元サイズ、縮小サイズ、・・・を繰り返すようにしても良い。
【００３７】
図３は本実施形態においてＥＰＧ情報によりディスプレイ装置に表示された電子番組表の一例を示す図である。
【００３８】
この電子番組表は、例えばテレビ放送局であるＡ〜Ｊテレビの番組がＡＭ５：００〜ＡＭ５：００の２４時間分表示されている。即ち、この電子番組表は、２４時間分のテレビ番組が一覧表示されたものである。ここでは、番組名が全部表示できないので、番組名の頭文字が表示されている。番組名が、上から順に、ニュースの頭文字「ニ」、天気の頭文字「天」、いいかなの頭文字「い」、夏休み子供アニメスペシャルの頭文字「夏」、将棋対局の頭文字「将」、ニュースの頭文字「ニ」、ごきげんかなの頭文字「ご」、天気の頭文字「天」、株式の頭文字「株」、ニュースの頭文字「ニ」、高校野球の頭文字「高」、囲碁の頭文字「囲」、テレビショッピングの頭文字「テ」、ガーデニングの頭文字「ガ」、ニュースの頭文字「ニ」、天気の頭文字「天」、プロ野球の頭文字「プ」が表示されている。なお、その他は、ここでは図示を省略している。
【００３９】
また、時間枠はジャンル毎に表示色が変えられている。例えば、ニュースの頭文字「ニ」が表示されている時間枠が赤色、天気の頭文字「天」が表示されている時間枠が青色、高校野球の頭文字「高」およびプロ野球の頭文字「プ」が表示されている時間枠が黄色、将棋対局の頭文字「将」および囲碁の頭文字「囲」が表示されている時間枠が緑色という表示色で示される。このようにジャンル毎に色分けして表示することにより、ジャンルを一目で知ることができる。なお、視聴者は、どのジャンルが何色であるかを予め知っているものとする。
【００４０】
図４は図３に示す電子番組表の一覧表示画面を部分的に拡大した第１の拡大表示画面を示す。この第１の拡大表示画面は、図３に示す一覧表示画面において、例えばＦテレビのＰＭ３：００からＰＭ６：００までの高校野球の番組の時間枠を中心にディスプレイ装置１５の画面範囲内で拡大されたものであり、番組名が、上から順に、ニュース、天気、いいかな、夏休み子供アニメスペシャル、将棋対局、ニュースの頭文字「ニ」、ごきげんかな、天気、株式、ニュース、高校野球、囲碁、テレビショッピング、ガーデニング、ニュース、天気、プロ野球が表示されている。なお、その他は、ここでは図示を省略している。
【００４１】
図５は図４に示す第１の拡大表示画面の一部を拡大した第２の拡大表示画面を示す。この第２の拡大表示画面は、図４に示す第１の拡大表示画面において、例えば、ＦテレビのＰＭ３：００からＰＭ７：００までの高校野球の番組の時間枠をディスプレイ装置１５の画面範囲内で拡大されたものであり、第一試合から第四試合までの対戦相手が表示されている。即ち、この第２の拡大表示画面には、第１の拡大表示画面で選択された番組の詳細な内容が表示される。
【００４２】
図６は本実施形態において電子番組表のサイズを変更する処理を説明するためのフローチャートである。このフローチャートおよび図１〜図５を参照して電子番組表のサイズを変更する処理について説明する。
【００４３】
電子番組表をディスプレイ装置１５に表示させるため、ユーザがリモコン１１の番組表ボタン１２２を押下すると、システム制御部８は、番組表ボタン１２２が操作されたことを検出し（ステップＳ１）、電子番組表生成部１２の番組表一覧表示手段は、ＥＰＧデータ管理部９から与えたれたＥＰＧ情報に基づいて１日分の電子番組表（例えば図３に示すような電子番組表）をディスプレイ装置１５の画面に一覧表示させる（ステップＳ２）。また、この一覧表示画面には、電子番組表生成部１２の色分け表示手段により、番組がジャンル毎に色分けして表示される。また、この一覧表示画面には、電子番組表生成部１２の頭文字表示手段により、番組の番組名の頭文字が表示される。
【００４４】
次に、リモコン１１の拡大ボタン１２３が押下されると、システム制御部８は、拡大操作されたことを検出し（ステップＳ３）、これに応答して電子番組表生成部１２の第１の拡大表示手段は、前記一覧表示された番組の中の選択された番組の時間枠を中心に表示可能な範囲の番組まで番組名が見える程度に拡大表示する（ステップＳ４）。例えば、図４に示すような第１の拡大表示画面をディスプレイ装置１５に表示させる。
【００４５】
更に、リモコン１１の拡大ボタン１２３が押下されると、システム制御部８は、拡大操作されたことを検出し（ステップＳ６）、これに応答して電子番組表生成部１２の第２の拡大表示手段は、前記第１の拡大表示画面に表示された番組の中の選択された番組の時間枠を拡大して詳細内容が見える程度に拡大して第２の拡大表示画面をディスプレイ装置１５に表示させる（ステップＳ７）。例えば、図５に示すような第２の拡大表示画面をディスプレイ装置１５に表示させる。
【００４６】
第１の拡大表示画面がステップＳ４において表示された後、リモコン１１の縮小ボタン１２４が押下されると、システム制御部８は、縮小操作されたことを検出し（ステップＳ５）、これに応答して電子番組表生成部１２の第１の縮小表示手段は、前記第１の拡大表示手段で拡大表示された時間枠を縮小して番組を元の一覧表示の番組時間枠のサイズに縮小させ、番組一覧表示をディスプレイ装置１５に表示させる（ステップＳ２）。
【００４７】
第２の拡大表示画面がステップＳ７において表示された後、リモコン１１の縮小ボタン１２４が押下されると、システム制御部８は、縮小操作されたことを検出し（ステップＳ１２）、これに応答して電子番組表生成部１２の第２の縮小表示手段は、前記第２の拡大表示手段で拡大表示された時間枠を縮小して前記第１の拡大表示画面のサイズに縮小させ、前記第１の拡大表示画面をディスプレイ装置１５に表示させる（ステップＳ４）。
【００４８】
なお、ステップＳ１３において、縮小操作された場合、現在の電子番組表のサイズが最小サイズであると（ステップＳ１４）、サイズ変更なしで（ステップＳ１５）、番組一覧表示され（ステップＳ２）、現在の電子番組表のサイズが最小サイズでなかったときは、更に縮小表示される（ステップＳ１６）。また、ステップＳ８において、拡大操作された場合、現在の電子番組表のサイズが最大サイズであると（ステップＳ９）、サイズ変更なしで（ステップＳ１１）、第２の拡大表示画面が表示され（ステップＳ７）、現在の電子番組表のサイズが最大サイズでなかったときは、更に拡大表示される（ステップＳ１０）。
【００４９】
以上説明したように本実施形態によれば、一日分の電子番組表を一覧できるように電子番組表全体を一度にディスプレイ装置に表示させることができ、即ち、新聞で慣れ親しんだものと同じ範囲で電子番組表をディスプレイ装置に表示させることができ、これにより、新聞のテレビ番組欄を見るように多数の放送局の電子番組表を一度に見ることができ、また、電子番組表の表示を拡大したり縮小したりすることもできるので、視聴者にとっては便利になる。
【００５０】
なお、上記実施形態では、電子番組表の一覧表示画面に番組の頭文字を表示したが、この頭文字が読み難い場合は、この頭文字は必ずしも表示させなくても良い。
【図面の簡単な説明】
【００５１】
【図１】本発明の一実施形態に係る電子番組情報表示装置の構成を示すブロック図である。
【図２】前記実施形態においてリモコンの操作ボタンの配置の一例を簡略化して示した構成図である。
【図３】前記実施形態においてＥＰＧ情報によりディスプレイ装置に表示された電子番組表の一例を示す図である。
【図４】図３に示す電子番組表の一覧表示画面を部分的に拡大した第１の拡大表示画面を示す。
【図５】図４に示す第１の拡大表示画面の一部を拡大した第２の拡大表示画面を示す。
【図６】前記実施形態において電子番組表のサイズを変更する処理を説明するためのフローチャートである。
【符号の説明】
【００５２】
１１    リモコン（操作手段）
１２    電子番組表生成部（番組表一覧表示手段、色分け表示手段、頭文字表示手段、第１の拡大表示手段、第２の拡大表示手段、第１の縮小表示手段、第２の縮小表示手段）
１５    ディスプレイ装置
１２３    拡大ボタン
１２４    縮小ボタン
【図１】
2007116384.tif 000003
【図２】
2007116384.tif 000004
【図３】
2007116384.tif 000005
【図４】
2007116384.tif 000006
【図５】
2007116384.tif 000007
【図６】
2007116384.tif 000008